【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
第１の構成成分を提供することと、
第２の構成成分を提供することと、
接着性のスタックを使用して、前記第１の構成成分を前記第２の構成成分に接着させることと
を含む接着した構成成分を修復する方法であって、
前記接着性のスタックは、
前記第１の構成成分と前記第２の構成成分との間に配置される第１の接着剤含浸スクリム層と、
前記第１の構成成分と前記第２の構成成分との間に配置されるバルク接着剤層と
を含む、方法。
【請求項２】
切断された第１の構成成分及び切断された第２の構成成分を提供するために、前記接着性のスタックを切断することによって、前記第１の構成成分を前記第２の構成成分から分離することを更に含む、請求項１に記載の方法。
【請求項３】
前記接着性のスタックを切断することは、埋め込まれたコードの配置で実施される、請求項２に記載の方法。
【請求項４】
前記切断された第１の構成成分は、前記第１のスクリム層と前記バルク接着剤層の第１の部分とを含み、前記切断された第２の構成成分は、前記バルク接着剤層の第２の部分を含む、請求項２に記載の方法。
【請求項５】
前記第１のスクリム層及び前記バルク接着剤層の前記第１の部分を前記第１の構成成分から除去することを更に含む、請求項４に記載の方法。
【請求項６】
前記第１のスクリム層及び前記バルク接着剤層の前記第１の部分は、前記第１のスクリム層を前記第１の構成成分から剥がすことによって除去される、請求項５に記載の方法。
【請求項７】
交換用の接着性のスタックを使用して、交換用の第２の構成成分を前記第１の構成成分に接着させることを更に含み、前記交換用の接着性のスタックは、
前記第１の構成成分と前記交換用の第２の構成成分との間に配置される交換用の接着剤含浸スクリム層と、
前記第１の構成成分と前記交換用の第２の構成成分との間に配置される交換用のバルク接着剤層と
を含む、請求項５に記載の方法。
【請求項８】
前記接着性のスタックは、
前記バルク接着剤層と前記第１の構成成分又は前記第２の構成成分との間に配置される第２の接着剤含浸スクリム層
を更に含み、
前記第１のスクリム層及び前記第２のスクリム層は、前記バルク接着剤層の反対側に配置される、請求項１に記載の方法。
【請求項９】
切断された第１の構成成分と切断された第２の構成成分とを提供するために前記接着性のスタックを切断することによって、前記第１の構成成分を前記第２の構成成分から分離することを更に含む、請求項８に記載の方法。
【請求項１０】
前記接着性のスタックを切断することは、埋め込まれたコードの配置で実施される、請求項９に記載の方法。
【請求項１１】
前記切断された第１の構成成分は、前記第１のスクリム層と前記バルク接着剤層の第１の部分とを含み、前記切断された第２の構成成分は、前記第２のスクリム層と前記バルク接着剤層の第２の部分とを含む、請求項９に記載の方法。
【請求項１２】
第１の構成成分と、
第２の構成成分と、
前記第１の構成成分と前記第２の構成成分との間に配置される接着性のスタックと
を含む複合物であって、前記接着性のスタックは、
前記第１の構成成分と前記第２の構成成分との間に配置される第１の接着剤含浸スクリム層と、
前記第１の構成成分と前記第２の構成成分との間に配置されるバルク接着剤層と
を含む、複合物。
【請求項１３】
前記接着性のスタックは、
前記バルク接着剤層と前記第１の構成成分又は前記第２の構成成分との間に配置される第２の接着剤含浸スクリム層
を更に含み、
前記第１のスクリム層及び前記第２のスクリム層は、前記バルク接着剤層の反対側に配置される、請求項１２に記載の複合物。
【請求項１４】
前記接着剤含浸スクリム層及び前記バルク接着剤層は、自己接着性接着剤を含む、請求項１２に記載の複合物。
【請求項１５】
前記自己接着性接着剤は、室温で硬化しない又は実質的に硬化しない単一構成成分の熱硬化型接着剤である、請求項１４に記載の複合物。
【手続補正２】
【補正対象書類名】明細書
【補正対象項目名】００９０
【補正方法】変更
【補正の内容】
【００９０】
本発明の様々な実施態様が、本発明の様々な対象の実現に際して記載されてきた。これらの実施態様は、本発明の原理の単なる例示にすぎないと認識されるべきだ。本発明の精神及び範囲から逸脱しない数々の修正及び適合が、当業者には容易に明らかになるだろう。
本発明はつぎの態様を含む。
（Ａ１）
第１の構成成分を提供することと、
第２の構成成分を提供することと、
接着性のスタックを使用して、前記第１の構成成分を前記第２の構成成分に接着させることと
を含む接着した構成成分を修復する方法であって、
前記接着性のスタックは、
前記第１の構成成分と前記第２の構成成分との間に配置される第１の接着剤含浸スクリム層と、
前記第１の構成成分と前記第２の構成成分との間に配置されるバルク接着剤層と
を含む、方法。
（Ａ２）
切断された第１の構成成分及び切断された第２の構成成分を提供するために、前記接着性のスタックを切断することによって、前記第１の構成成分を前記第２の構成成分から分離することを更に含む、Ａ１に記載の方法。
（Ａ３）
前記接着性のスタックを切断することは、埋め込まれたコードの配置で実施される、Ａ２に記載の方法。
（Ａ４）
前記切断された第１の構成成分は、前記第１のスクリム層と前記バルク接着剤層の第１の部分とを含み、前記切断された第２の構成成分は、前記バルク接着剤層の第２の部分を含む、Ａ２に記載の方法。
（Ａ５）
前記第１のスクリム層及び前記バルク接着剤層の前記第１の部分を前記第１の構成成分から除去することを更に含む、Ａ４に記載の方法。
（Ａ６）
前記第１のスクリム層及び前記バルク接着剤層の前記第１の部分は、前記第１のスクリム層を前記第１の構成成分から剥がすことによって除去される、Ａ５に記載の方法。
（Ａ７）
交換用の接着性のスタックを使用して、交換用の第２の構成成分を前記第１の構成成分に接着させることを更に含み、前記交換用の接着性のスタックは、
前記第１の構成成分と前記交換用の第２の構成成分との間に配置される交換用の接着剤含浸スクリム層と、
前記第１の構成成分と前記交換用の第２の構成成分との間に配置される交換用のバルク接着剤層と
を含む、Ａ５に記載の方法。
（Ａ８）
前記接着性のスタックは、
前記バルク接着剤層と前記第１の構成成分又は前記第２の構成成分との間に配置される第２の接着剤含浸スクリム層
を更に含み、
前記第１のスクリム層及び前記第２のスクリム層は、前記バルク接着剤層の反対側に配置される、Ａ１に記載の方法。
（Ａ９）
切断された第１の構成成分と切断された第２の構成成分とを提供するために前記接着性のスタックを切断することによって、前記第１の構成成分を前記第２の構成成分から分離することを更に含む、Ａ８に記載の方法。
（Ａ１０）
前記接着性のスタックを切断することは、埋め込まれたコードの配置で実施される、Ａ９に記載の方法。
（Ａ１１）
前記切断された第１の構成成分は、前記第１のスクリム層と前記バルク接着剤層の第１の部分とを含み、前記切断された第２の構成成分は、前記第２のスクリム層と前記バルク接着剤層の第２の部分とを含む、Ａ９に記載の方法。
（Ａ１２）
前記第１のスクリム層及び前記バルク接着剤層の前記第１の部分を前記第１の構成成分から除去すること、並びに／若しくは前記第２のスクリム層及び前記バルク接着剤層の前記第２の部分を前記第２の構成成分から除去することを更に含む、Ａ１１に記載の方法。
（Ａ１３）
前記第１のスクリム層及び前記バルク接着剤層の前記第１の部分、並びに／若しくは前記第２のスクリム層及び前記バルク接着剤層の前記第２の部分は、前記第１のスクリム層を前記第１の構成成分から剥がすこと、及び／又は前記第２のスクリム層を前記第２の構成成分から剥がすことによって除去される、Ａ１２に記載の方法。
（Ａ１４）
交換用の接着性のスタックを使用して、交換用の構成成分を前記第１又は第２の構成成分に接着させることを更に含み、前記交換用の接着性のスタックは、
前記交換用の構成成分と前記第１又は第２の構成成分との間に配置される交換用の第１の接着剤含浸スクリム層と、
前記交換用の構成成分と前記第１又は第２の構成成分との間に配置される交換用のバルク接着剤層と
を含む、Ａ１２に記載の方法。
（Ａ１５）
前記交換用の接着性のスタックは、
前記交換用のバルク接着剤層と前記第１の構成成分又は前記交換用の構成成分との間に配置される交換用の第２の接着剤含浸スクリム層
を更に含み、
前記交換用の第１のスクリム層及び前記交換用の第２のスクリム層は、前記交換用のバルク接着剤層の反対側に配置される、Ａ１４に記載の方法。
（Ｂ１）
第１の構成成分と、
第２の構成成分と、
前記第１の構成成分と前記第２の構成成分との間に配置される接着性のスタックと
を含む複合物であって、前記接着性のスタックは、
前記第１の構成成分と前記第２の構成成分との間に配置される第１の接着剤含浸スクリム層と、
前記第１の構成成分と前記第２の構成成分との間に配置されるバルク接着剤層と
を含む、複合物。
（Ｂ２）
前記接着性のスタックは、
前記バルク接着剤層と前記第１の構成成分又は前記第２の構成成分との間に配置される第２の接着剤含浸スクリム層
を更に含み、
前記第１のスクリム層及び前記第２のスクリム層は、前記バルク接着剤層の反対側に配置される、Ｂ１に記載の複合物。
（Ｂ３）
前記接着剤含浸スクリム層及び前記バルク接着剤層は、自己接着性接着剤を含む、Ｂ１に記載の複合物。
（Ｂ４）
前記自己接着性接着剤は、室温で硬化しない又は実質的に硬化しない単一構成成分の熱硬化型接着剤である、Ｂ３に記載の複合物。